(57)【要約】【課題】電動リールに比較的容量の大きい重いバッテリを取り付けることができるようにするとともに、電動リールにバッテリを装着した状態で電動リールを釣竿から取り外すことができるようにする。【解決手段】リール本体１の第１側カバー８ａの前部底面には、バッテリ取付手段３０である第１取付部３１の面ファスナが接着固定され、バッテリ２０のバッテリ本体２１には、バッテリ取付手段３０である第２取付部３２の面ファスナが接着固定されており、第１取付部３１の面ファスナに第２取付部３２の面ファスナを取り付けることによって、バッテリ２０はリール本体１の第１側カバー８ａの底部に着脱自在に装着される。【選択図】図１０
2012080823.tif 000002
【特許請求の範囲】
【請求項１】
電動リールに電力を供給するバッテリを前記電動リールに着脱可能に取り付ける電動リールのバッテリ取付構造であって、
リール本体と、前記リール本体の下部に前記リール本体と別体で設けられ釣竿のリールシートに装着するためのリール取付脚と、前記リール本体の外部に前記リール本体と別体で設けられたリールコネクタ部とを有する電動リールと、
バッテリ本体と、前記バッテリ本体の外部に設けられたバッテリコードと、前記バッテリコードの先端に設けられ前記リールコネクタ部に電気的に接続されるバッテリコネクタ部とを有するバッテリと、
前記リール本体の外側面に設けられた第１取付部と、前記第１取付部に着脱自在に前記バッテリ本体の外側面に設けられた第２取付部とを有するバッテリ取付手段と、
を備えた電動リールのバッテリ取付構造。
【請求項２】
前記第１取付部及び前記第２取付部の少なくともいずれかは、前記リール本体の外側面及び前記バッテリ本体の外側面の少なくともいずれかに一体的に形成されている、請求項１に記載の電動リールのバッテリ取付構造。
【請求項３】
前記第１取付部及び前記第２取付部の少なくともいずれかは、前記リール本体の外側面及び前記バッテリ本体の外側面の少なくともいずれかに装着可能に別体で形成されている、請求項１に記載の電動リールのバッテリ取付構造。
【請求項４】
前記第１取付部及び前記第２取付部の少なくともいずれかは、前記リール本体の外側面及び前記バッテリ本体の外側面の少なくともいずれかに接着固定されている、請求項３に記載の電動リールのバッテリ取付構造。
【請求項５】
前記第１取付部及び前記第２取付部は、表面に形成された面ファスナである、請求項４に記載の電動リールのバッテリ取付構造。
【請求項６】
前記第１取付部及び前記第２取付部の少なくともいずれかは、前記リール本体の外側面及び前記バッテリ本体の外側面の少なくともいずれかにねじ止め固定されている、請求項３に記載の電動リールのバッテリ取付構造。
【請求項７】
前記第１取付部は、係合凸部または係合凹部であり、
前記第２取付部は、前記係合凸部または前記係合凹部に係合する係合凹部または係合凸部である、請求項１から３及び６のいずれか１項に記載の電動リールのバッテリ取付構造。
【請求項８】
前記第１取付部は、前記第２取付部である前記バッテリ本体の外側面を巻き付け可能なベルト部材の内側面である、請求項１から３のいずれか１項に記載の電動リールのバッテリ取付構造。
【発明の詳細な説明】
【技術分野】
【０００１】
本発明は、バッテリ取付構造、特に、電動リールに電力を供給するバッテリを電動リールに着脱可能に取り付ける電動リールのバッテリ取付構造に関する。
【背景技術】
【０００２】
一般に、釣竿に装着される電動リールは、スプールを回転させて釣り糸を巻き取るためのモータを有している。このモータはバッテリに電気的に接続されたコードにより電力が供給される。コードの一端は、バッテリに設けられたバッテリコネクタ部の端子に接続される鰐口クリップ等のコードコネクタ部を有している。コードの他端は、リールに設けられたリールコネクタ部の雄ねじ部に螺合する雌ねじ部を有している。このような電動リールでは、バッテリコネクタ部にコードコネクタ部の鰐口クリップを接続し、コードの他端の雌ねじ部をリールコネクタ部の雄ねじ部に接続すると、リール内部の配線によりモータに電気的に接続され、これによりバッテリの電力が電動リールへ供給される。
【０００３】
このような電動リールは、たとえば小型の電動リールであって、釣竿に電動リールを装着した状態でしゃくり動作等を行う場合には、電動リールとバッテリとの間のコードがしゃくり動作の邪魔になるおそれがある。そこで、電動リールのリールコネクタ部にバッテリのバッテリコネクタ部を直付けすることによって電動リールにバッテリを取り付けたものや（たとえば、特許文献１参照）、電動リールのリール取付脚と釣竿のリールシートとの間にバッテリホルダを取り付けることによって電動リール及び釣竿にバッテリを取り付けたものが知られている（たとえば、特許文献２参照）。
【先行技術文献】
【特許文献】
【０００４】
【特許文献１】特許第４２９９８１５号公報
【特許文献２】特許第４４１８７６８号公報
【発明の概要】
【発明が解決しようとする課題】
【０００５】
前記従来の電動リールでは、電動リールのリールコネクタ部にバッテリのバッテリコネクタ部を直付けすることによって電動リールにバッテリを取り付けている場合には、比較的小さいリールコネクタ部だけでバッテリを支持しているので、比較的容量の大きい重いバッテリを取り付けるには、スペースや強度が不足するおそれが生じる。また、電動リールのリール取付脚と釣竿のリールシートとの間にバッテリホルダを取り付けることによって電動リール及び釣竿にバッテリを取り付けている場合には、電動リールと釣竿との間にバッテリホルダが設けられているので、電動リールを釣竿から取り外すときには、電動リールまたは釣竿からバッテリホルダ及びバッテリを取り外す必要があり、このため、電動リールにバッテリを装着した状態で電動リールを釣竿から取り外すことができない。
【０００６】
本発明の課題は、電動リールのバッテリ取付構造において、電動リールに比較的容量の大きい重いバッテリを取り付けることができるようにするとともに、電動リールにバッテリを装着した状態で電動リールを釣竿から取り外すことができるようにすることにある。
【課題を解決するための手段】
【０００７】
発明１に係る電動リールのバッテリ取付構造は、電動リールに電力を供給するバッテリを電動リールに着脱可能に取り付ける電動リールのバッテリ取付構造であって、電動リールと、バッテリと、バッテリ取付手段とを備えている。電動リールは、リール本体と、リール本体の下部にリール本体と別体で設けられ釣竿のリールシートに装着するためのリール取付脚と、リール本体の外部にリール本体と別体で設けられたリールコネクタ部とを有している。バッテリは、バッテリ本体と、バッテリ本体の外部に設けられたバッテリコードと、バッテリコードの先端に設けられリールコネクタ部に電気的に接続されるバッテリコネクタ部とを有している。バッテリ取付手段は、リール本体の外側面に設けられた第１取付部と、第１取付部に着脱自在にバッテリ本体の外側面に設けられた第２取付部とを有している。
【０００８】
このバッテリ取付構造では、リール本体の外側面に設けられた第１取付部に、バッテリ本体の外側面に設けられた第２取付部を取り付けることによって電動リールにバッテリを取り付けているので、比較的スペースがあるリール本体の外側面に比較的スペースがあるバッテリ本体の外側面をダイレクトに取り付けることができ、このため、電動リールに比較的容量の大きい重いバッテリを取り付けることができる。さらに、ここでは、従来のように電動リールのリール取付脚と釣竿のリールシートとの間にバッテリホルダを設けることなく、電動リールにバッテリを取り付けているので、電動リールにバッテリを装着した状態で電動リールを釣竿から取り外すことができる。
【０００９】
発明２に係るバッテリ取付構造は、発明１のバッテリ取付構造において、第１取付部及び第２取付部の少なくともいずれかは、リール本体の外側面及びバッテリ本体の外側面の少なくともいずれかに一体的に形成されている。この場合、第１取付部または第２取付部がリール本体またはバッテリ本体の外側面と一体成形されているので、電動リールに比較的容量の大きい重いバッテリを取り付けた場合でも、第１取付部または第２取付部がリール本体またはバッテリ本体の外側面から離反しにくくなる。
【００１０】
発明３に係るバッテリ取付構造は、発明１のバッテリ取付構造において、第１取付部及び第２取付部の少なくともいずれかは、リール本体の外側面及びバッテリ本体の外側面の少なくともいずれかに装着可能に別体で形成されている。この場合、従来からある電動リールやバッテリに第１取付部または第２取付部を後から取り付けることができるので、従来からある電動リールやバッテリにおいても、発明１の効果が得られる。
【００１１】
発明４に係るバッテリ取付構造は、発明３のバッテリ取付構造において、第１取付部及び第２取付部の少なくともいずれかは、リール本体の外側面及びバッテリ本体の外側面の少なくともいずれかに接着固定されている。この場合、第１取付部や第２取付部の取り付けが容易になるとともに、リール本体やバッテリ本体の任意の位置に第１取付部または第２取付部を取り付けできる。
【００１２】
発明５に係るバッテリ取付構造は、発明４のバッテリ取付構造において、第１取付部及び第２取付部は、表面に形成された面ファスナである。この場合、面ファスナによって、バッテリのリール本体に対する脱着が容易になる。
【００１３】
発明６に係るバッテリ取付構造は、発明３のバッテリ取付構造において、第１取付部及び第２取付部の少なくともいずれかは、リール本体の外側面及びバッテリ本体の外側面の少なくともいずれかにねじ止め固定されている。この場合、第１取付部または第２取付部をリール本体やバッテリ本体にねじ止め固定することによって、第１取付部または第２取付部がリール本体またはバッテリ本体の外側面から離反しにくくなる。
【００１４】
発明７に係るバッテリ取付構造は、発明１から３及び６のいずれかのバッテリ取付構造において、第１取付部は、係合凸部または係合凹部である。第２取付部は、係合凸部または係合凹部に係合する係合凹部または係合凸部である。この場合、バッテリのリール本体に対する脱着が強固になる。
【００１５】
発明８に係るバッテリ取付構造は、発明１から３のいずれかのバッテリ取付構造において、第１取付部は、第２取付部であるバッテリ本体の外側面を巻き付け可能なベルト部材の内側面である。この場合、ベルト部材をバッテリ本体に巻き付けることによってバッテリをリール本体に取り付けているので、たとえばベルト部材の長さを調節するだけで異なる大きさのバッテリをリール本体に容易に取り付けできる。
【発明の効果】
【００１６】
本発明によれば、電動リールのバッテリ取付構造において、リール本体の外側面に設けられた第１取付部に、バッテリ本体の外側面に設けられた第２取付部を取り付けることによって電動リールにバッテリを取り付けているので、電動リールに比較的容量の大きい重いバッテリを取り付けることができるとともに、電動リールにバッテリを装着した状態で電動リールを釣竿から取り外すことができる。
【図面の簡単な説明】
【００１７】
【図１】本発明の一実施形態を採用した電動リールの斜視図。
【図２】前記電動リールの左側面断面図。
【図３】前記電動リールの左側面図。
【図４】前記電動リールの平面図。
【図５】前記電動リールの正面図。
【図６】前記電動リールの底面図。
【図７】本発明の一実施形態を採用したバッテリの斜視図。
【図８】前記電動リールに前記バッテリを装着したときの図３に相当する図。
【図９】前記電動リールに前記バッテリを装着したときの図５に相当する図。
【図１０】前記電動リールに前記バッテリを装着したときの図６に相当する図。
【図１１】他の実施形態の図９に相当する図。
【図１２】他の実施形態の図１０に相当する図。
【図１３】他の実施形態の図９に相当する図。
【図１４】他の実施形態の図１０に相当する図。
【図１５】他の実施形態の図８に相当する図。
【図１６】他の実施形態の図８に相当する図。
【図１７】他の実施形態の図８に相当する図。
【図１８】他の実施形態の図８に相当する図。
【図１９】他の実施形態の図９に相当する図。
【図２０】他の実施形態の図９に相当する図。
【発明を実施するための形態】
【００１８】
本発明の一実施形態が採用された電動リールは、図１から図６に示すように、外部電源から供給された電力により駆動されるとともに、手巻きリールとして使用するときの電源を内部に有する小型の電動リールである。また、電動リールは糸繰り出し長さ又は糸巻取長さに応じて仕掛けの水深を表示する水深表示機能を有するリールである。電動リールは、釣竿Ｒに装着可能なリール本体１と、リール本体１の側方に配置されたスプール１０の回転用のハンドル２と、ハンドル２のリール本体１側に配置されたドラグ調整用のスタードラグ３と、水深表示用のカウンタケース４とを備えている。
【００１９】
リール本体１は、図１から図６に示すように、左右１対の第１側板７ａ及び第２側板７ｂと、第１側板７ａ及び第２側板７ｂを下部及び前部で連結する第１連結部材７ｃ及び第２連結部材７ｄとからなるフレーム７と、フレーム７の左右を覆う左右の第１側カバー８ａ及び第２側カバー８ｂと、フレーム７の前部を覆う前カバー９とを有している。第２側カバー８ｂには、ハンドル２の回転軸が回転自在に支持されている。ハンドル２の支持部分の上方には、モータ１２を複数段階に制御するための速度調整レバー５が揺動自在に支持されている。第１側カバー８ａの前部底面には、下方に突出する膨出部８ｃが形成されており、膨出部８ｃの下面には、後述するバッテリ２０のバッテリコネクタ部２３が下方から接続されるリールコネクタ部１９が形成されている。
【００２０】
また、リール本体１の下部の第１連結部材７ｃには、釣竿Ｒに装着するための竿取付脚部１４が一体形成されている。リール本体１の前部の第２連結部材７ｄは、スプール１０の前方に筒状に形成されており、内部にスプール１０を駆動するモータ１２が固定されている。前カバー９には、釣り糸通過用の横長の開口部９ａが形成されている。リール本体１の内部には、モータ１２及びハンドル２に連結されたスプール１０が回転自在に支持されている。また、リール本体１の後部には、ハンドル２及びモータ１２とスプール１０との駆動伝達をオン、オフする図示しないクラッチ操作部材１１が配置されている。このクラッチ操作部材１１をオン操作すると、仕掛けの自重による糸繰り出し中に、糸繰り出し動作を停止できる。
【００２１】
また、リール本体１の内部には、図２に示すように、スプール１０に連動して動作するレベルワインド機構１３やハンドル２の回転をスプール１０に伝達する図示しない伝達機構等が設けられている。レベルワインド機構１３は、スプール１０と連動して釣り糸をスプール１０に均一に巻き取るために設けられている。リール本体１の第１側板７ａ及び第２側板７ｂの上部に、図１及び図２に示すように、釣り糸の先に装着された仕掛けの水深を表示するカウンタケース４が固定されている。カウンタケース４には、上面に配置された液晶ディスプレイ（ＬＣＤ）からなる表示部６と、表示部６の後方に左右方向に並べて配置された２つの第１スイッチＳＷ１及び第２スイッチＳＷ２とが装着されている。第１スイッチＳＷ１は、たとえば、０セット用のスイッチであり、第２スイッチＳＷ２は、たとえば、棚メモ等のメモリ用のスイッチである。
【００２２】
リール本体１の第１側カバー８ａの前部底面には、図６、図８から図１０に示すように、バッテリ取付手段３０である第１取付部３１が設けられ、バッテリ２０のバッテリ本体２１には、図７、図８から図１０に示すように、バッテリ取付手段３０である第２取付部３２が設けられており、第１取付部３１に第２取付部３２を取り付けることによって、バッテリ２０はリール本体１の第１側カバー８ａの底部に着脱自在に装着されている。
【００２３】
バッテリ２０は、図７に示すように、電動リールに電力を供給するための繰り返し充電可能なボトル形状の蓄電池であって、内部にリチウムイオンポリマー素子を備えたボトル形状のバッテリ本体２１と、バッテリ本体２１の先端部から一体的に延びるバッテリコード２２と、バッテリコード２２の先端部に設けられ電動リールのリールコネクタ部１９に接続されるバッテリコネクタ部２３とを有している。バッテリ本体２１の外側面には、バッテリ取付手段３０である第２取付部３２が着脱可能に別体で形成されている。第２取付部３２は、表面が電動リールの第１取付部３１に着脱可能に係止される面ファスナであって、裏面がバッテリ本体２１の外側面に接着固定されている。一方、電動リールの第１取付部３１は、図６に示すように、表面がバッテリ２０の第２取付部３２に着脱可能に係止される面ファスナであって、裏面がリール本体１の第１側カバー８ａの底面に別体で接着固定されている。バッテリ２０は、図８から図１０に示すように、リール本体１の第１側カバー８ａの底部に横向き（バッテリ本体２１の長手方向がリール本体１の前後方向となる向き）にバッテリコネクタ部２３が後方に位置するように着脱自在に装着されている。
【００２４】
この電動リールでは、リール本体１の第１側カバー８ａの底面に設けられた第１取付部３１の面ファスナに、バッテリ本体２１の外側面に設けられた第２取付部３２の面ファスナを取り付けることによって、電動リールにバッテリ２０を取り付けている。そして、バッテリ２０のバッテリコネクタ部２３を電動リールのリールコネクタ部１９に接続することによって、バッテリ２０の電力が電動リールに供給される。
【００２５】
ここでは、リール本体１の第１側カバー８ａの底部に設けられた第１取付部３１に、バッテリ本体２１の外側面に設けられた第２取付部３２を取り付けることによって電動リールにバッテリ２０を取り付けているので、比較的スペースがあるリール本体１の外側面に比較的スペースがあるバッテリ本体２１の外側面をダイレクトに取り付けることができ、このため、電動リールに比較的容量の大きい重いバッテリ２０を取り付けることができる。さらに、ここでは、従来のように電動リールの竿取付脚部１４と釣竿Ｒのリールシートとの間にバッテリホルダを設けることなく、電動リールにバッテリ２０を取り付けているので、電動リールにバッテリ２０を装着した状態で電動リールを釣竿Ｒから取り外すことができる。
【００２６】
〔他の実施形態〕
（ａ）  前記実施形態では、小型の電動リールを例にあげて説明したが、電動リールの大きさや形状はこれに限定されるものではない。
【００２７】
（ｂ）  前記実施形態では、バッテリ２０はボトル形状であったが、バッテリ２０の大きさや形状はこれに限定されるものではなく、図１８に示すように、円板（略円柱）状のバッテリ２０をリール本体１の第１側カバー８ａの左側部に着脱自在に装着する構成にしてもよいし、図１９及び図２０に示すように、箱型（略直方体）形状のバッテリ２０をリール本体１の第１側カバー８ａの底部や左側部に着脱自在に装着する構成にしてもよい。また、前記実施形態では、バッテリコード２２はバッテリ本体２１の先端部から一体的に延びていたが、バッテリコード２２をバッテリ本体２１から着脱可能な構成にしてもよい。
【００２８】
（ｃ）  前記実施形態では、バッテリ２０はリール本体１の第１側カバー８ａの底部に着脱自在に装着されていたが、図１１及び図１２に示すように、バッテリ２０をリール本体１の第２側カバー８ｂの底部に着脱自在に装着する構成にしてもよい。また、図１３及び図１４に示すように、バッテリ２０をリール本体１の第１側カバー８ａ及び第２側カバー８ｂの両側の底部に着脱自在に装着する構成にしてもよい。
【００２９】
（ｄ）  前記実施形態では、バッテリ２０はリール本体１の第１側カバー８ａの底部に着脱自在に装着されていたが、図１５及び図１６に示すように、バッテリ２０をリール本体１の第１側カバー８ａの左側部に横向き（バッテリ本体２１の長手方向がリール本体１の前後方向となる向き）または縦向き（バッテリ本体２１の長手方向がリール本体１の上下方向となる向き）となるように着脱自在に装着する構成にしてもよい。
【００３０】
（ｅ）  前記実施形態では、バッテリ２０はリール本体１の第１側カバー８ａの底部に着脱自在に装着されていたが、図１７に示すように、バッテリ２０をリール本体１の第１側カバー８ａの底部に一端部が固定されたベルト部材をバッテリ本体２１の外周に凹んで形成された溝部に巻き付けてベルト部材の他端部を面ファスナ等によってベルト部材の一端部に固定することによって、バッテリ２０をリール本体１に着脱自在に装着する構成にしてもよい。ここでは、ベルト部材がバッテリ本体２１の溝部に巻き付けられているので、ベルト部材がバッテリ本体２１の溝部によって前後移動が規制されるので、ベルト部材がバッテリ本体２１から抜けにくくなる。
【００３１】
（ｆ）  前記実施形態では、第１取付部３１及び第２取付部３２はリール本体１の第１側カバー８ａの底面やバッテリ本体２１の外側面に別体で接着固定されていたが、第１取付部３１または第２取付部３２をリール本体１またはバッテリ本体２１にねじ止め固定したり、第１取付部３１または第２取付部３２をリール本体１またはバッテリ本体２１と一体成形する構成にしてもよい。また、第１取付部３１を係合凸部または係合凹部となるように形成し、第２取付部３２を第１取付部３１と係合する係合凹部または係合凸部となるように形成し、第２取付部３２を第１取付部３１にビンディング係合させる構成にしてもよい。
【符号の説明】
【００３２】
１  リール本体
２  ハンドル
３  スタードラグ
４  カウンタケース
５  速度調整レバー
６  表示部
７  フレーム
７ａ  第１側板
７ｂ  第２側板
７ｃ  第１連結部材
７ｄ  第２連結部材
８ａ  第１側カバー
８ｂ  第２側カバー
８ｃ  膨出部
９  前カバー
９ａ  開口部
１０  スプール
１１  クラッチ操作部材
１２  モータ
１３  レベルワインド機構
１４  竿取付脚部
１９  リールコネクタ部
２０  バッテリ
２１  バッテリ本体
２２  バッテリコード
２３  バッテリコネクタ部
３０  バッテリ取付手段
３１  第１取付部
３２  第２取付部
Ｒ  釣竿
ＳＷ１  第１スイッチ
ＳＷ２  第２スイッチ
【図１】
2012080823.tif 000003
【図２】
2012080823.tif 000004
【図３】
2012080823.tif 000005
【図４】
2012080823.tif 000006
【図５】
2012080823.tif 000007
【図６】
2012080823.tif 000008
【図７】
2012080823.tif 000009
【図８】
2012080823.tif 000010
【図９】
2012080823.tif 000011
【図１０】
2012080823.tif 000012
【図１１】
2012080823.tif 000013
【図１２】
2012080823.tif 000014
【図１３】
2012080823.tif 000015
【図１４】
2012080823.tif 000016
【図１５】
2012080823.tif 000017
【図１６】
2012080823.tif 000018
【図１７】
2012080823.tif 000019
【図１８】
2012080823.tif 000020
【図１９】
2012080823.tif 000021
【図２０】
2012080823.tif 000022